(57)【特許請求の範囲】
【請求項１】
一端が洗面ボウルの排水口から下方に延びる排水管に接続されると共に他端がオーバーフロー孔において前記洗面ボウルに接続されるオーバーフロー管の管構造であって、
前記オーバーフロー管は、上下方向に水が流通するように上下方向に延びる第１管部と、前記第１管部に連続して形成され前記第１管部に交差する方向に延びる第２管部と、前記第１管部の内部に設けられると共に前記第１管部の一部を塞ぐ壁部と、を有し、
前記壁部は、前記第１管部と前記第２管部との境界近傍に設けられている、
オーバーフロー管の管構造。
【請求項２】
前記壁部は、板状に形成され、前記第１管部の内面から、水平方向又は水平方向よりも下向きに傾斜する方向に延びる請求項１に記載のオーバーフロー管の管構造。
【請求項３】
前記壁部は、前記第１管部の前記洗面ボウル側の内面から突出する請求項１又は２に記載のオーバーフロー管の管構造。
【請求項４】
前記壁部は、前記第１管部と前記第２管部との境界近傍において、前記第１管部の前記洗面ボウル側の内面から突出する請求項３に記載のオーバーフロー管の管構造。
【請求項５】
前記壁部は、前記第１管部の断面積のほぼ半分を塞ぐように形成される請求項１〜４のいずれかに記載のオーバーフロー管の管構造。
【請求項６】
請求項１〜５のいずれかに記載のオーバーフロー管の管構造を備える洗面器。
【発明の詳細な説明】
【技術分野】
【０００１】
本発明は、オーバーフロー管の管構造に関する。
【背景技術】
【０００２】
従来、一端が洗面器の排水口から下方に延びる排水管に接続されると共に他端がオーバーフロー孔において洗面器に接続されるオーバーフロー管を備えるオーバーフロー管の管構造が知られている（例えば、特許文献１参照）。特許文献１に記載のオーバーフロー管の管構造は、オーバーフロー管の水平部分の内部の上面から下方に延びる防壁を有している。防壁は、空気の引き込みによって生じる排水時の排水音を低減するために、オーバーフロー管から排水管への空気の引き込みを阻止することができるとされている。
【先行技術文献】
【特許文献】
【０００３】
【特許文献１】特許第３４８３１０１号公報
【発明の概要】
【発明が解決しようとする課題】
【０００４】
特許文献１に記載のオーバーフロー管の管構造においては、洗面器の排水口が閉じられた状態で、洗面器に溜められる水の水量が、オーバーフロー孔においてオーバーフロー管に流入する水の水量よりも多い場合には、洗面器から水が溢れることがある。そのため、オーバーフロー管に流入する水を効率よく排出することが望まれる。
【０００５】
本発明は、オーバーフロー管に流入する水を効率よく排出することができるオーバーフロー管の管構造を提供することを目的とする。
【課題を解決するための手段】
【０００６】
本発明は、一端が洗面ボウルの排水口から下方に延びる排水管に接続されると共に他端がオーバーフロー孔において前記洗面ボウルに接続されるオーバーフロー管の管構造であって、前記オーバーフロー管は、上下方向に水が流通するように上下方向に延びる第１管部と、前記第１管部の内部に設けられると共に前記第１管部の一部を塞ぐ壁部と、を有するオーバーフロー管の管構造に関する。
【０００７】
また、前記壁部は、板状に形成され、前記第１管部の内面から、水平方向又は水平方向よりも下向きに傾斜する方向に延びることが好ましい。
【０００８】
また、前記壁部は、前記第１管部の前記洗面ボウル側の内面から突出することが好ましい。
【０００９】
また、前記オーバーフロー管は、前記第１管部に連続して形成され前記第１管部に交差する方向に延びる第２管部を更に備え、前記壁部は、前記第１管部と前記第２管部との境界近傍において、前記第１管部の前記洗面ボウル側の内面から突出することが好ましい。
【００１０】
また、前記壁部は、前記第１管部の断面積のほぼ半分を塞ぐように形成されることが好ましい。
【００１１】
また、本発明は、前記オーバーフロー管の管構造を備える洗面器に関する。
【発明の効果】
【００１２】
本発明によれば、オーバーフロー管に流入する水を効率よく排出することができるオーバーフロー管の管構造を提供することができる。
【図面の簡単な説明】
【００１３】
【図１】本発明の一実施形態に係る洗面化粧台１の全体構成を示す斜視図である。
【図２】本発明の一実施形態に係る洗面化粧台１を上方側から視た図である。
【図３】本発明の一実施形態に係る洗面化粧台１の洗面器３の構成を示す斜視図である。
【図４】本発明の一実施形態に係る洗面化粧台１の排水管５及びオーバーフロー管６の構成を示す断面図である。
【図５】オーバーフロー管６の下部Ｌ字管６５の構成を示す縦断面図である。
【図６】オーバーフロー管６の下部Ｌ字管６５を上方から視た図である。
【図７】本発明の実施形態に係るオーバーフロー管６へ流入する水の流れの作用を説明する図である。
【図８】壁部の変形形態を示す上方から視た図であって、（ａ）は、第１変形形態を示す図であり、（ｂ）は、第２変形形態を示す図であり、（ｃ）は、第３変形形態を示す図である。
【発明を実施するための形態】
【００１４】
以下、本発明の洗面化粧台の好ましい一実施形態について、図面を参照しながら説明する。図１は、本発明の一実施形態に係る洗面化粧台１の全体構成を示す斜視図である。図２は、本発明の一実施形態に係る洗面化粧台１を上方側から視た図である。図３は、本発明の一実施形態に係る洗面化粧台１の洗面器３の構成を示す斜視図である。図４は、本発明の一実施形態に係る洗面化粧台１の排水管５及びオーバーフロー管６の構成を示す断面図である。
【００１５】
まず、本実施形態の洗面化粧台１の全体構成について説明する。
図１〜図４に示すように、本実施形態の洗面化粧台１は、下部キャビネット２と、洗面器３と、ミラーキャビネット１１と、を備える。
【００１６】
下部キャビネット２は、図１に示すように、洗面化粧台１の下部を構成し、前面に開閉扉を有した箱状に形成される。下部キャビネット２の内部には、小物等を収納する収納空間が形成される。収納空間の奥側には、洗面器３の排水口４１（後述）に接続された排水管５が配置される。
【００１７】
洗面器３は、図１及び図２に示すように、下部キャビネット２の上部に配置される。洗面器３は、凹状に形成されるボウル部（洗面ボウル）３１と、ボウル前面カバー部３２と、洗面器３の奥側に配置される第１上面部３３と、幅方向の一端側に配置される第２上面部３４と、排水管５と、オーバーフロー管６と、フランジ管６０と、水栓部７と、を有する。
【００１８】
ボウル部３１は、平面視において、略矩形形状と、略矩形形状の一端（洗面化粧台１に対面した場合の右端）から奥側に延びる形状と、が連続した形状に形成される。ボウル部３１は、平面視において、第１上面部３３と第２上面部３４と外枠とに挟まれる部分である。
【００１９】
ボウル部３１は、後述する水栓部７から吐出された水を受ける。ボウル部３１は、図３に示すように、排水口４１と、オーバーフロー孔４２と、吐水管固定用穴４３と、操作部固定用穴４４と、を有する。吐水管固定用穴４３及び操作部固定用穴４４は、第１上面部３３に設けられる。
【００２０】
排水口４１は、図３及び図４に示すように、ボウル部３１における略矩形形状の一端（洗面化粧台１に対面した場合の右端）から奥側に延びる部分の底部に設けられる。排水口４１は、ボウル部３１の底部を上下方向に貫通する。ボウル部３１の底部は、平面状に形成され、排水口４１側に向けて傾斜している。排水口４１は、水栓部７から吐出されてボウル部３１により一旦受け止められた水を、排水管５を介して、外部に排水する。排水管５は、排水口４１の下部に接続され、排水口４１から下方に向けて延びている。
【００２１】
排水口４１の内部には、図４に示すように、ヘアキャッチャー８が着脱自在に設置されている。排水口４１には、図２及び図４に示すように、ヘアキャッチャー８の上方に、排水口４１を開閉可能な排水栓９が配置される。
【００２２】
排水栓９は、排水口４１を塞ぐ機能を有する。排水栓９は、排水口４１に対して着脱可能に構成される。排水栓９の上部には、玉鎖部材１５の一端が接続されている。玉鎖部材１５は、排水栓９の上部と後述する玉鎖固定部材１０とを接続する。
【００２３】
オーバーフロー孔４２は、図３に示すように、ボウル部３１における略矩形形状の一端（洗面化粧台１に対面した場合の右端）から奥側に延びる部分の第２上面部３４側の側面に設けられる。オーバーフロー孔４２は、ボウル部３１の側面を幅方向に貫通する。オーバーフロー孔４２は、ボウル部３１の底部から所定の高さの位置に設けられている。オーバーフロー孔４２は、排水口４１が排水栓９により閉じられた状態で、洗面器３に水が溜まって、オーバーフロー孔４２の位置まで水位が上昇した場合に、後述するオーバーフロー管６を介して、水を外部に排出する。これにより、水がボウル部３１から溢れることを抑制する。
【００２４】
フランジ管６０は、オーバーフロー孔４２において、洗面器３のボウル部３１とオーバーフロー管６の一端部とを接続する。フランジ管６０は、フランジ部６１と、筒状部６２と、を有する。
【００２５】
フランジ部６１は、フランジ管６０の一端部に形成される。フランジ部６１は、オーバーフロー孔４２において、洗面器３のボウル部３１の内面側に位置しており、ボウル部３１の内面に当接する。
【００２６】
筒状部６２は、フランジ部６１に連続して形成される。筒状部６２は、円筒状に形成される。筒状部６２は、洗面器３のボウル部３１の外面側において、オーバーフロー管６の上部Ｌ字管６３（後述）の一端部に接続される。筒状部６２の内部には、洗面器３のボウル部３１の外面側において、玉鎖固定部材１０（後述）が固定される。筒状部６２の外面には、フランジ管ネジ部６２１が形成される。筒状部６２のフランジ管ネジ部６２１は、上部Ｌ字管６３の一端部の内面に形成される上部Ｌ字管ネジ部６３ａに螺合している。
【００２７】
フランジ管６０の筒状部６２の内部には、玉鎖固定部材１０が嵌め込まれて固定されている。玉鎖固定部材１０には、玉鎖部材１５の他端部が接続されている。つまり、玉鎖部材１５の他端部は、フランジ管６０の筒状部６２の内部において、玉鎖固定部材１０に接続される。玉鎖固定部材１０は、オーバーフロー孔４２の内部において、フランジ管６０に固定される。
【００２８】
玉鎖固定部材１０は、フランジ管６０の一部を塞いでおり、オーバーフロー孔４２に侵入する異物を捕捉する機能を有する。本実施形態においては、フランジ管６０と玉鎖固定部材１０とは、別体である。
【００２９】
オーバーフロー管６は、フランジ管６０と排水管５とを接続する。オーバーフロー管６は、上部Ｌ字管６３と、上下管６４と、下部Ｌ字管６５と、を備える。本実施形態においては、上部Ｌ字管６３と、上下管６４と、下部Ｌ字管６５とは、別体である。
【００３０】
上部Ｌ字管６３は、全体として、略Ｌ字状に形成される。上部Ｌ字管６３の一端部は、フランジ管６０の筒状部６２に接続される。
上部Ｌ字管６３は、フランジ管６０の他端部からボウル部３１に対して離れる方向に所定長さ略水平方向に延び、下方に屈曲して、下方に所定長さ延びる。上部Ｌ字管６３の他端部は、上下管６４の上端部に接続される。
【００３１】
上下管６４は、上下方向に延びて形成される。上下管６４の上端部は、上部Ｌ字管６３の他端部に外挿される。上下管６４の下端部は、下部Ｌ字管６５の一端部に外挿される。
【００３２】
下部Ｌ字管６５は、全体として、略Ｌ字状に形成される。下部Ｌ字管６５の一端部は、上下管６４の下端部に接続される。下部Ｌ字管６５は、上下管６４の下端部から下方に所定長さ延び、洗面器３のボウル部３１に近づく方向に屈曲して、その曲がり部分から洗面器３のボウル部３１の側に所定長さ水平方向に延びる。
下部Ｌ字管６５の曲がり部分において、下部Ｌ字管６５における洗面器３のボウル部３１側の内面から突出する壁部６７が形成される。
【００３３】
下部Ｌ字管６５の他端部には、接続筒部６６が取り付けられている。接続筒部６６の先端側の内面には、筒部ネジ部６６ａが形成されている。筒部ネジ部６６ａは、接続管５１の一端部に形成される接続管ネジ部５１ａに螺合している。これにより、下部Ｌ字管６５の他端部は、接続管５１の一端部に接続される。
【００３４】
接続管５１は、下部Ｌ字管６５と排水管５とを接続する。接続管５１の他端部は、排水管５の側面に接続されている。これにより、下部Ｌ字管６５は、接続管５１を介して、排水管５に接続されている。本実施形態においては、接続管５１と排水管５とは、一体に成形されている。
【００３５】
水栓部７は、図１に示すように、吐水管７１と、操作部７２と、を有する。吐水管７１は、吐水管固定用穴４３（図３参照）を介して、洗面器３の第１上面部３３に取り付けられる。操作部７２は、操作部固定用穴４４（図３参照）を介して、洗面器３の第１上面部３３に取り付けられる。水栓部７においては、操作部７２を操作することにより、吐水管７１から水が吐出される。
【００３６】
ミラーキャビネット１１は、上下方向に延びる板状に形成される。ミラーキャビネット１１は、洗面器３の後端部から上方に延びる。ミラーキャビネット１１は、化粧鏡１２と、複数の収納トレイ１３と、照明部１４と、を有する。
【００３７】
化粧鏡１２は、ミラーキャビネット１１の幅方向の略中央において、洗面器３の上方側に取り付けられている。化粧鏡１２は、平面状に形成される。化粧鏡１２は、下端部が手前側になるように傾斜するように配置される。
【００３８】
照明部１４は、化粧鏡１２の上方に配置される。照明部１４は、１灯配置される。照明部１４は、電球部１４ａと、電球部１４ａをカバーするカバー部材１４ｂと、を有する。カバー部材１４ｂは、電球部１４ａからの光を透過して、カバー部材１４ｂの前面を介して、前方を照明すると共に、カバー部材１４ｂの下面を介して、下方を照明する。そのため、照明部１４は、前方に向けて光を照射する前方照射部としての機能を有し、かつ、その下面に設けられると共に下方に向けて光を照射する下方照射部としての機能を有する。つまり、照明部１４は、下方照射部により下方に向けて光を照射することで、下方にも照明する。カバー部材１４ｂは、半透明の樹脂材料により形成される。
【００３９】
複数の収納トレイ１３は、化粧鏡１２の下方や化粧鏡１２の両側に、配置されている。
【００４０】
次に、本発明の特徴部分であるオーバーフロー管６の管構造の詳細について、図面を参照しながら説明する。図５は、オーバーフロー管６の下部Ｌ字管６５の構成を示す縦断面図である。図６は、オーバーフロー管６の下部Ｌ字管６５を上方から視た図である。
【００４１】
第１実施形態に係る洗面器３は、オーバーフロー管６の管構造を備える。本実施形態に係るオーバーフロー管６の管構造は、図４〜図６に示すように、オーバーフロー管６を備える。オーバーフロー管６は、一端がフランジ管６０を介して洗面器３のボウル部３１の排水口４１から下方に延びる排水管５に接続される共に、他端がオーバーフロー孔４２において洗面器３のボウル部３１に接続される。
【００４２】
オーバーフロー管６は、前述の通り、上部Ｌ字管６３と、上下管６４と、下部Ｌ字管６５と、を備える。本実施形態においては、オーバーフロー管６は、上部Ｌ字管６３と、上下管６４と、下部Ｌ字管６５とは、別体に形成される。
【００４３】
下部Ｌ字管６５は、オーバーフロー管６における下部に配置される。下部Ｌ字管６５は、前述の通り、図５に示すように、縦断面において、全体として、略Ｌ字状に形成される。下部Ｌ字管６５は、縦管部（第１管部）６１０と、横管部（第２管部）６２０と、を有する。
【００４４】
縦管部６１０は、図５に示すように、上下方向に水が流通するように、上下方向に延びる。本実施形態においては、縦管部６１０は、略垂直方向に延びる。縦管部６１０は、上下管６４の下端部から下方に所定長さ延びる。縦管部６１０の内部には、壁部６７が設けられている。
【００４５】
横管部６２０は、縦管部６１０に連続して形成され、縦管部６１０に交差する方向に延びる。横管部６２０は、縦管部６１０から洗面器３のボウル部３１に近づく方向に延びる。本実施形態においては、横管部６２０は、縦管部６１０にほぼ直交する方向である略水平方向に延びる。
本実施形態においては、縦管部６１０と、壁部６７と、横管部６２０とは、一体に成形される。
【００４６】
壁部６７は、所定の厚みを有する板状に形成される。壁部６７は、縦管部６１０の一部を塞ぐ。本実施形態においては、壁部６７の形状は、図６に示すように、上方側から視た場合に、半円形形状に形成される。壁部６７は、縦管部６１０の断面の断面積のほぼ半分を塞ぐように形成される。ここで、縦管部６１０の断面の断面積ほぼ半分とは、例えば、縦管部６１０の断面の断面積の４５％〜５５％をいう。
【００４７】
壁部６７が縦管部６１０の断面の断面積の５５％よりも大きい場合には、壁部６７により妨げられる流路が大きいため、壁部６７により妨げられない部分を通過する水流が少なくなり、サイフォン現象が発生しにくくなる。壁部６７が縦管部６１０の断面の断面積の４５％よりも小さい場合には、壁部６７により妨げられる流路が小さく、壁部６７により妨げられない部分を通過する水量が多くなり、後述する水幕１００（図７参照）を形成しにくくなる。
【００４８】
壁部６７は、縦管部６１０の内面から、縦管部６１０の内側に向けて、水平方向又は水平方向Ｈよりも下向きに延びる。壁部６７の水平方向Ｈからの角度は、例えば、０°（水平方向と同じ方向）〜１０°程度が好ましい。本実施形態においては、壁部６７の水平方向Ｈからの角度αは、例えば、５°である。
【００４９】
壁部６７は、縦管部６１０と横管部６２０との境界近傍において、縦管部６１０における洗面器３のボウル部３１側の内面から、縦管部６１０の内側に向けて突出する。縦管部６１０と横管部６２０との境界は、厳密に定められるものではなく、曲がり部分６１５にあればよい。
【００５０】
次に、下部Ｌ字管６５が壁部６７を備えることで生じるオーバーフロー管６へ流入する水の流れの作用について説明する。
まず、オーバーフロー管６へ流入する水の流れの作用を説明するための構成として、オーバーフロー管６が接続される排水管５及び排水配管５４の構成について説明する。図７は、本発明の実施形態に係るオーバーフロー管６へ流入する水の流れの作用を説明する図である。
【００５１】
図７に示すように、オーバーフロー管６は、接続管５１を介して、排水管５に接続されている。排水管５は、その下流側において、排水配管５４に接続される。排水配管５４は、洗面化粧台１の外部へ排水するための配管である。排水配管５４は、排水管５の下流側において、Ｕ字管５５と、逆Ｖ字管５６と、排水導出管５７とが連続して接続されている。
【００５２】
Ｕ字管５５は、Ｕ字状に形成される。Ｕ字管５５は、上流側の端部が排水管５に接続されると共に、下流側の端部が逆Ｖ字管５６の上流側の端部に接続される。Ｕ字管５５は、Ｕ字状に屈曲することで、封水を溜めることが可能なトラップ管としての機能を有する。
【００５３】
逆Ｖ字管５６は、上下を逆にしたＶ字状に形成される。逆Ｖ字管５６は、上流側の端部がＵ字管５５の下流側の端部に接続されると共に、下流側の端部が排水導出管５７の上流側の端部に接続される。逆Ｖ字管５６は、Ｕ字管５５の下流側の端部から上方側に所定長さ延び、上方側の所定位置において所定角度で鋭角に屈曲して、所定の傾斜角度で下方に傾斜して所定長さ延びる。
【００５４】
逆Ｖ字管５６における上方側に延びる部分には、Ｕ字管５５に溜められた水が上昇して、溜められる。Ｕ字管５５に溜められ且つ逆Ｖ字管５６における上方側に延びる部分に溜められた水は、水の水位が逆Ｖ字管５６における屈曲部分の下部の水位を超えると、排水導出管５７側へ流し出される。
【００５５】
排水導出管５７は、上流側の端部が逆Ｖ字管５６の下流側の端部に接続されると共に、下流側の端部が不図示の配管に接続される。排水導出管５７は、上流側において逆Ｖ字管５６の下流側の部分と同じ傾斜角度で下方に傾斜して所定長さ延び、所定位置において垂直方向に曲がり、垂直方向の下方に向けて所定長さ延びる。
【００５６】
次に、オーバーフロー管６へ流入する水の流れの作用について、具体的に説明する。
図７に示すように、排水口４１が排水栓９により閉じられた状態で、水栓部７の吐水管７１から洗面器３のボウル部３１に水が吐水され続けると、洗面器３のボウル部３１に水が溜まって、オーバーフロー孔４２の位置まで水位が上昇する。
【００５７】
オーバーフロー孔４２の位置まで水位が上昇すると、オーバーフロー孔４２においてフランジ管６０に水が流れ込み、フランジ管６０からオーバーフロー管６に水が流れ込む。オーバーフロー管６に流れ込んだ水は、上部Ｌ字管６３及び上下管６４を通って、下部Ｌ字管６５に到達する。下部Ｌ字管６５に到達した水は、下部Ｌ字管６５の壁部６７により、水の流路の一部が妨げられる。これにより、図７に示すように、壁部６７により妨げられない流路において、壁部６７を延ばした面に沿って、水幕１００が形成される。
【００５８】
壁部６７により流路の一部が妨げられるため、壁部６７の上方側には、オーバーフロー管６に流れ込んだ水が溜まっていく。そして、壁部６７の上方側において、オーバーフロー管６は、水で満たされる。同時に、壁部６７の上方側に溜まった水は、水幕１００から、下流側の排水管５に向けて流れていく。
【００５９】
水幕１００から下流側に流れる水は、横管部６２０の内部の下部に沿って流れ、接続管５１の内部の下部及び排水管５の内部の一側部を通って、Ｕ字管５５に到達する。Ｕ字管５５には、排水管５の下方において、所定の水位で、流通する水が封水として溜められている。Ｕ字管５５には、水が満たされている。
【００６０】
Ｕ字管５５には水が満たされており、Ｕ字管５５に更に水が送り込まれると、逆Ｖ字管５６の屈曲部分の下部を超えた水位に達して、逆Ｖ字管５６の屈曲部分の下部の水位を超えた水は、排水導出管５７側へ送り出される。排水導出管５７側へ送り出される水の量は、本発明では壁部６７により流路の一部が妨げられているため、従来のような壁部６７を設けない場合に比べて、少ない。
【００６１】
壁部６７の下方側では、横管部６２０及び接続管５１の内部の上部及び排水管５の内部の他側部において、水が満たされていない空間Ｋが形成される。
【００６２】
オーバーフロー管６に更に水が流れ込むことで、Ｕ字管５５に溜められる水の水位が上昇して、排水管５の内部まで水位が上昇する。これにより、空間Ｋは、排水管５の下部側から徐々に小さくなっていく。
【００６３】
そして、オーバーフロー管６に更に水が流れ込むと、空間Ｋが下方側から水で満たされていき、水の水位は、壁部６７まで達する。ここで、水が壁部６７まで達しているため、オーバーフロー管６の内部、接続管５１の内部、排水管５の内部及びＵ字管５５の内部は、水で満たされている。そのため、オーバーフロー管６の内部に満たされた水は、サイフォン現象により、排水配管５４側に引き込まれ、排水配管５４を介して外部に排出される。よって、オーバーフロー管６に流入した水を効率よく外部に排水することができる。
【００６４】
従来、壁部６７を設けていない場合には、Ｕ字管５５側から徐々に水で満たされ、オーバーフロー管６の上部まで水位が達した場合に、オーバーフロー管６の内部が水で満たされるため、サイフォン現象が発生していた。
これに対し、本発明は、壁部６７を設けることにより、水幕１００を形成して、水幕１００から水を流出させている。そして、壁部６７の下方の空間Ｋが徐々に小さくなり、水が壁部６７まで満たされた場合に、サイフォン現象を発生させる。そのため、壁部６７を設ける本発明は、従来のように壁部６７を設けずにオーバーフロー管６の上部まで水を満たした場合にサイフォン現象が発生されるのに対して、壁部６７まで水を満たせばサイフォン現象が発生される。よって、本発明は、オーバーフロー管６の内部を水で満たすまでの時間を短縮させて、サイフォン現象の発生を促進させることができる。従って、本発明は、サイフォン現象を早期に発生させることができる。
【００６５】
また、壁部６７は、縦管部６１０における洗面器３のボウル部３１側の内面から突出する。縦管部６１０を流通する水は、縦管部６１０の洗面器３側の内面に沿って流通する傾向がある。そのため、壁部６７を縦管部６１０における洗面器３のボウル部３１側の内面から突出させることで、効率よく、オーバーフロー管６を流通する水の流路を妨げることができる。
【００６６】
また、壁部６７は、曲がり部分６１５において、縦管部６１０における洗面器３のボウル部３１側の内面から突出する。そのため、サイフォン現象が発生した後において、横管部６２０側への水の流れをスムーズにすることができる。これにより、排水を早めることができる。
【００６７】
また、壁部６７は、縦管部６１０の断面の断面積のほぼ半分を塞ぐように形成される。そのため、壁部６７により流路のほぼ半分を塞ぐため、水幕１００を形成しやすい。これにより、サイフォン現象を発生させやすい。また、壁部６７に塞がれない側の流路を流通する水の水量を確保できる。これにより、サイフォン現象が発生した場合に、水が十分に排水配管５４側に引き込まれて、サイフォン現象の実行を促進できる。
【００６８】
以上説明した本実施形態のオーバーフロー管の管構造によれば、以下のような効果を奏する。
本実施形態のオーバーフロー管６の管構造においては、オーバーフロー管６は、上下方向に水が流通するように上下方向に延びる縦管部６１０と、縦管部６１０の内部に設けられると共に縦管部６１０の一部を塞ぐ壁部６７と、を有する。
そのため、壁部６７を設け且つ壁部６７を設けることで水幕１００を形成することにより、オーバーフロー管６の内部を水で満たすまでの時間を短縮させて、サイフォン現象の発生を促進させることができる。これにより、サイフォン現象を早期に発生させることができる。
【００６９】
また、本実施形態においては、壁部６７は、板状に形成され、縦管部６１０の内面から、水平方向又は水平方向よりも下向きに傾斜する方向に延びる。壁部６７へのゴミなどの異物の溜まりを抑制できる。
【００７０】
また、本実施形態においては、壁部６７は、縦管部６１０における洗面器３のボウル部３１側の内面から突出する。縦管部６１０を流通する水は、縦管部６１０における洗面器３のボウル部３１側の内面に沿って流通する傾向がある。そのため、壁部６７を縦管部６１０における洗面器３のボウル部３１側の内面から突出させることで、効率よく、オーバーフロー管６を流通する水の流路を妨げることができる。
【００７１】
また、本実施形態においては、壁部６７は、曲がり部分６１５において、縦管部６１０における洗面器３のボウル部３１側の内面から突出する。そのため、サイフォン現象が発生した後において、横管部６２０側への水の流れをスムーズにすることができる。これにより、排水を早めることができる。
【００７２】
また、本実施形態においては、壁部６７は、下部Ｌ字管６５の曲がり部分６１５において、縦管部６１０における洗面器３のボウル部３１側の内面から突出する。そのため、下部Ｌ字管６５を一部材で成形できる。つまり、下部Ｌ字管６５を、型抜きで成形できる。
【００７３】
また、壁部６７は、縦管部６１０の断面の断面積のほぼ半分を塞ぐように形成される。そのため、壁部６７により流路のほぼ半分を塞ぐため、水幕１００を形成しやすい。これにより、サイフォン現象を発生させやすい。また、壁部６７に塞がれない側の流路を流通する水の水量を確保できる。これにより、サイフォン現象が発生した場合に、負圧により水が十分に排水配管５４側に引き込まれて、サイフォン現象の実行を促進できる。
【００７４】
以上、本発明に係るオーバーフロー管の管構造の好ましい一実施形態について説明したが、本発明は、上述した実施形態に制限されるものではなく、適宜変更が可能である。
例えば、前記実施形態では、壁部６７を、縦管部６１０における洗面器３のボウル部３１側の内面から突出させ、壁部６７の形状を半円形形状としたが、これに限られない。例えば、壁部６７の構成を、図８（ａ）〜（ｃ）に示すような、次の第１変形形態〜第３変形形態のような壁部の構成としてもよい。
【００７５】
図８は、壁部の変形形態を示す上方から視た図であって、（ａ）は、第１変形形態を示す図であり、（ｂ）は、第２変形形態を示す図であり、（ｃ）は、第３変形形態を示す図である。
第１変形形態の壁部６７Ａは、図８（ａ）に示すように、縦管部６１０における洗面器３のボウル部３１側の内面から突出して形成されており、上方側から視た形状が、半円形形状における直線側が円弧状に窪んだ形状である。
第２変形形態の壁部６７Ｂは、図８（ｂ）に示すように、縦管部６１０における洗面器３のボウル部３１側の内面から突出して形成されており、上方側から視た形状が、半円形形状における直線側が円弧状に突出した形状である。
第３変形形態の壁部６７Ｃは、図８（ｃ）に示すように、縦管部６１０における洗面器３のボウル部３１側と反対側の内面から突出しており、上方側から視た形状が、半円形形状である。
【００７６】
また、前記実施形態では、縦管部６１０を垂直方向に延びるように構成し、横管部６２０を水平方向に延びるように構成したが、これに限られない。縦管部６１０を垂直方向から傾けて構成してもよいし、横管部６２０を水平方向から傾けて構成してもよい。
【００７７】
また、前記実施形態では、下部Ｌ字管６５を別体で形成したが、これに限られない。
例えば、下部Ｌ字管６５と上下管６４とを一体で構成してもよいし、下部Ｌ字管６５と上下管６４と上部Ｌ字管６３とを一体で構成してもよいし、下部Ｌ字管６５と上下管６４と上部Ｌ字管６３とフランジ管６０とを一体で構成してもよい。
【符号の説明】
【００７８】
３  洗面器
５  排水管
６  オーバーフロー管
９  排水栓
１５  玉鎖部材（鎖部材）
３１  ボウル部（洗面ボウル）
４１  排水口
４２  オーバーフロー孔
６７  壁部
６１０  縦管部（第１管部）
６１５  曲がり部分
６２０  横管部（第２管部）
【図１】
0006425979.tif 000002
【図２】
0006425979.tif 000003
【図３】
0006425979.tif 000004
【図４】
0006425979.tif 000005
【図５】
0006425979.tif 000006
【図６】
0006425979.tif 000007
【図７】
0006425979.tif 000008
【図８】
0006425979.tif 000009